(57)【要約】  【課題】災害発生時などの緊急時に、完売設定されていなくても、全ての商品を販売可能とさせる自販機を提供する。  【解決手段】災害時であることを検知する災害検知手段２６が設けられており、演算制御部３０ａは災害検知手段２６により、災害時と検知した場合には、完売設定手段２４により完売設定をしないと設定された場合においても、完売設定させ、売切れ検知手段２３により売切れと検知しても、売切れランプ２２を点灯せず、残った商品を販売可能とさせることにより、災害発生などの緊急時に完売設定されておらず、実際に商品があるのに、完売設定されていないために提供できない場合においても、コラムにある商品を全て提供することができる。【選択図】図３
2008112320.tif 000002
【特許請求の範囲】
【請求項１】
選択された商品が販売可能であるかを表示する販売可能ランプと、前記選択された商品が売切れであるかを表示する売切れランプと、選択された商品をコラムより払い出す搬出手段と、前記搬出手段に設置され、最後の商品との接触により売切れ状態を検知し、前記コラム内に最後の商品を残した状態で売切れとする売切れ検知手段と、災害時であることを検知する災害検知手段とを備えた自動販売機において、前記災害検知手段により災害時と検知した場合、売切れ検知手段により売切れと検知しても、最後の商品を販売可能とさせる完売設定手段を動作させることを特徴とする自動販売機。
【請求項２】
前記災害検知手段により、災害時と検知した場合には、コラムに商品がある限り、販売中の表示をする販売可能ランプを点灯させることを特徴とする請求項１に記載の自動販売機。
【請求項３】
商品がコラム内に保存される保存日数を経過したかどうかを検知する商品保存日数経過検知手段を備え、前記災害検知手段により、災害時と検知し、商品が販売可能であっても、前記商品保存日数経過検知手段により商品が保存日数を経過していると検知した場合には、前記販売可能ランプを消灯させ、販売不可とすることを特徴とする請求項１または２に記載の自動販売機。
【請求項４】
保存日数を経過した商品の販売可否を判断する商品販売可否判断手段を備え、商品保存日数経過検知手段により保存日数を経過していても、災害時と検知した場合、前記商品販売可否判断手段により、保存日数は経過しているが商品に表示された賞味期限日を超えていないと判断された場合は、販売可能とすることを特徴とする請求項１から３のいずれか一項に記載の自動販売機。
【請求項５】
表示または音声にて通知する通知手段を備え、前記商品販売可否判断手段により販売すると設定され、保存日数を経過した商品を販売した場合には、前記通知手段により、商品を販売したことを表示または音声にて案内することを特徴とする請求項４に記載の自動販売機。
【発明の詳細な説明】
【技術分野】
【０００１】
本発明は、災害時に災害時においては商品を無償で提供することができる自動販売機に関するものである。
【背景技術】
【０００２】
一般に、自動販売機は、コラムに商品を充填し、商品を冷却あるいは加温することで、購入者に提供している。商品を販売可否については、商品の有無を売切れスイッチなどにより検知し、商品が無いと検知した場合には売切れランプなどにより、売切れであることを通知し、販売不可状態とする。しかしながら、売切れスイッチなどにより、売切れと検知した場合でも、売切れスイッチ部の下部に数本の商品が残される構造となっており、実際にはコラムに商品が残されている。その商品の販売の可否を決定することができる完売設定機能などが設けられ、オペレーターにより売切れ検知後の販売の可否の設定が行われている。
【０００３】
また、売切れスイッチによる販売不可状態でなく、商品が提供できる商品温度になっていない場合、販売時間帯以外になっている場合などにより販売不可状態とする販売不可機能などがある。
【特許文献１】特開平１０−１１６３７９号公報
【発明の開示】
【発明が解決しようとする課題】
【０００４】
しかしながら、災害発生などの緊急時に、完売設定されておらず、実際にコラムに商品が残ったままになっている場合や、販売時間帯以外などにより販売不可状態になっていることで、緊急に商品を提供したいが、商品を提供できない場合があった。
【課題を解決するための手段】
【０００５】
上記従来の課題を解決するために、本発明の自動販売機は、災害発生などの緊急時には緊急時に不必要な販売不可機能を無視し、完売設定されていなくても、完売設定させることで、コラムに残った商品を全ての商品を払い出すことができる。
【発明の効果】
【０００６】
本発明の自動販売機は、災害発生時などの緊急時に、緊急時に不必要な販売不可機能を無視し、完売設定されていない場合でも、完売設定させることで、全ての商品を提供することができる。
【発明を実施するための最良の形態】
【０００７】
請求項１に記載の発明は、選択された商品が販売可能であるかを表示する販売可能ランプと、前記選択された商品が売切れであるかを表示する売切れランプと、選択された商品をコラムより払い出す搬出手段と、前記搬出手段に設置され、最後の商品との接触により売切れ状態を検知し、前記コラム内に最後の商品を残した状態で売切れとする売切れ検知手段と、災害時であることを検知する災害検知手段とを備えた自動販売機において、前記災害検知手段により災害時と検知した場合、売切れ検知手段により売切れと検知しても、最後の商品を販売可能とさせる完売設定を動作させることにより、災害発生などの緊急時に完売設定されておらず、実際に商品があるのに、完売設定されていないために提供できない場合においても、コラムにある商品を全て提供することができる。
【０００８】
請求項２に記載の発明は、請求項１に記載の発明にさらに、前記災害検知手段により、災害時と検知した場合には、コラムに商品がある限り、販売可能ランプを点灯させることにより、災害発生などの緊急時に全ての商品を無償で提供することができる。
【０００９】
請求項３に記載の発明は、請求項１または２に記載の発明にさらに、商品がコラム内に保存される保存日数を経過したかどうかを検知する商品保存日数経過検知手段を備え、前記災害検知手段により、災害時と検知し、商品が販売可能であっても、前記商品保存日数経過検知手段により商品が保存日数を経過していると検知した場合には、前記販売可能ランプを消灯させ、販売不可とすることにより、災害時の場合においても、保存日数を経過した商品を販売しないようにすることができる。
【００１０】
請求項４に記載の発明は、請求項１から３のいずれか一項に記載の発明に、保存日数を経過した商品の販売可否を判断する商品販売可否判断手段を備え、商品保存日数経過検知手段により保存日数を経過していても、災害時と検知した場合、前記商品販売可否判断手段により、保存日数は経過しているが商品に表示された賞味期限日を超えていないと判断された場合は、販売可能とすることにより、オペレーターが保存日数を経過した商品を販売しても害がないことを判断し、保存日数を経過した商品を無償で提供することができる。
【００１１】
請求項５に記載の発明は、請求項４に記載の発明に、表示または音声にて通知する通知手段を備え、前記商品販売可否判断手段により販売すると設定され、保存日数を経過した商品を販売した場合には、前記通知手段により、商品を販売したことを表示または音声にて案内することにより、購入者に保存日数を経過した商品を販売したことを知らせることができる。
【００１２】
（実施の形態１）
図１は、本発明の実施の形態１における自動販売機の外観を示した斜視図である。図２は、同実施の形態における自動販売機の内側の外観を示した斜視図である。図３は、同実施の形態における自動販売機の機能ブロック図である。図４は、同実施の形態における自動販売機の動作を示すフローチャートである。
【００１３】
図１において本発明の実施の形態１の自動販売機１は、本体部２前面にメイン扉部３を有している。メイン扉部３にサンプル缶４、選択部５、硬貨投入口６、硬貨返却スイッチ７、硬貨返却口８、取り出し部９、取り出し口扉１０を持つ。
【００１４】
図２において本発明の実施の形態１の自動販売機１は、本体部２内にコラム１１、搬出手段１２、庫内仕切板１３、サブ扉１４、シュート１５を持つ。
【００１５】
また、コラム１１はオペレーターが商品の補充を行う際に投入される複数の商品を収納するものであり、コラム１１毎に搬出手段１２が設けられている。搬出手段１２はソレノイドなどである。
【００１６】
また、庫内仕切版１３で庫内が分けられており、各庫内がシュート１５とコラム１１を有している。シュート１５は搬出手段１２により払い出された商品をメイン扉部３に設けられた取り出し部９に滑り落とすものである。また、サブ扉１４はシュート１５の幅に合わした商品通過口１６を有している。
【００１７】
また、庫内仕切板１３及びサブ扉１４により庫内毎に設定された冷却及び加温状態を保持している。
【００１８】
また、販売動作は購入者がサンプル缶４を見て、購入したい商品を決定し、硬貨投入口６に硬貨を投入し、サンプル缶４の下に設けられた選択部５にて商品を選択するなどの所定の操作を行うことで、選択部５に対応したコラム１１から搬出手段１２により商品を下方に払い出す。払い出された商品はシュート１５を滑り落ち、商品通過口１６を通過して、取り出し部９に払い出される。購入者は取り出し口扉１０を開け、商品を取り出すことができる。
【００１９】
図３において、搬出手段１２は選択された商品をコラム１１から払い出す。販売可能ランプ２１は選択された商品が販売可能であるかを表示し、選択部５に内蔵されている。売切れランプ２２は選択された商品が売切れであるかを表示し、選択部５に内蔵されている。売切れ検知手段２３は各コラム１１の商品の売切れ状態を検知し、コラム１１に設けられている。完売設定手段２４は売切れ検知手段２３により売切れと検知した場合に、売切れランプ２２を点灯させ、販売不可にするか、売切れ検知手段２３により売切れと検知しても、売切れランプ２２を点灯せず、残った商品を販売可能とするかをコラム１１毎に設定する。完売設定記憶手段２５は完売設定手段２４により設定された各コラム１１の完売設定を記憶する。災害検知手段２６は災害時であることを検知する。
【００２０】
演算制御部３０ａは災害検知手段２６により、災害時と検知した場合には、完売設定手段２４により完売設定をしないと設定された場合においても、完売設定されたものとして判定を行う。
【００２１】
図４において、以上のように構成された自動販売機について、以下その動作を説明する。
【００２２】
演算制御部３０ａは完売設定手段２４によりコラム１１毎に完売設定を行うかを設定し（ＳＴＥＰ１）、完売設定記憶手段２５に完売設定手段２４により設定された完売設定を記憶させる（ＳＴＥＰ２）。演算制御部３０ａは災害検知手段２６により災害が発生したかを判定し（ＳＴＥＰ３）、災害が発生している場合には売切れ検知手段２３によりＮ番コラム１１が売切れかを判定し（ＳＴＥＰ４）、売切れでない場合にはＮ番コラム１１に対応する選択部５に内蔵された売切れランプ２２を消灯させる。売切れである場合には残数を全て払い出したかを判定し（ＳＴＥＰ５）、払い出した場合にはＮ番コラム１１に対応する選択部５に内蔵された売切れランプ２２を点灯させ、払い出していない場合にはＮ番コラム１１に対応する選択部５に内蔵された売切れランプ２２を消灯させる。
【００２３】
災害が発生していない場合には、売切れ検知手段２３によりＮ番コラム１１が売切れかを判定し（ＳＴＥＰ６）、売切れでない場合にはＮ番コラム１１に対応する選択部５に内蔵された売切れランプ２２を消灯させる。売切れである場合には完売設定記憶手段２５にて記憶しているＮ番コラム１１の完売設定が完売設定されているかを判定し（ＳＴＥＰ７）、完売設定されていない場合にはＮ番コラム１１に対応する選択部５に内蔵された売切れランプ２２を点灯させる。完売設定されている場合には残数を全て払い出したかを判定し（ＳＴＥＰ８）、払い出した場合にはＮ番コラム１１に対応する選択部５に内蔵された売切れランプ２２を点灯させ、払い出していない場合にはＮ番コラム１１に対応する選択部５に内蔵された売切れランプ２２を消灯させる。
【００２４】
以上のように本実施の形態１の自動販売機によれば、災害検知手段２６により、災害時と検知した場合には、完売設定手段２４により完売設定をしないと設定された場合においても、完売設定させ、売切れ検知手段２３により売切れと検知しても、売切れランプ２２を点灯せず、残った商品を販売可能とさせることにより、災害発生などの緊急時に完売設定されておらず、実際に商品があるのに、完売設定されていないために提供できない場合においても、コラム１１にある商品を全て提供することができる。
【００２５】
（実施の形態２）
図５は、本発明の実施の形態２における自動販売機の機能ブロック図である。図６は、同実施の形態における自動販売機の動作を示すフローチャートである。
【００２６】
図５において、搬出手段１２は選択された商品をコラム１１から払い出す。販売可能ランプ２１は選択された商品が販売可能であるかを表示し、選択部５に内蔵されている。売切れランプ２２は選択された商品が売切れであるかを表示し、選択部５に内蔵されている。売切れ検知手段２３は搬出手段１２により搬出された各コラム１１の売切れ状態を検知し、コラム１１に設けられている。
【００２７】
完売設定手段２４は売切れ検知手段２３により売切れと検知した場合に、売切れランプ２２を点灯させ、販売不可にするか、売切れ検知手段２３により売切れと検知しても、売切れランプ２２を点灯せず、残った商品を販売可能とするかをコラム１１毎に設定する。完売設定記憶手段２５は完売設定手段２４により設定された各コラム１１の完売設定を記憶する。災害検知手段２６は災害時であることを検知する。演算制御部３０ｂは災害検知手段２６により、災害時と検知した場合には、完売設定手段２４により完売設定をしないと設定された場合においても、完売されたものとし、完売するまで販売可能ランプを点灯させ、販売可能にさせる。
【００２８】
図６において、以上のように構成された自動販売機について、以下その動作を説明する。
【００２９】
演算制御部３０ｂは完売設定手段２４によりコラム１１毎に完売設定を行うかを設定し（ＳＴＥＰ１）、完売設定記憶手段２５に完売設定手段２４により設定された完売設定を記憶させる（ＳＴＥＰ２）。演算制御部３０ｂは災害検知手段２６により災害が発生したかを判定し（ＳＴＥＰ３）、災害が発生している場合には売切れ検知手段２３によりＮ番コラム１１が売切れかを判定し（ＳＴＥＰ４）、売切れでない場合にはＮ番コラム１１に対応する選択部５に内蔵された販売可能ランプ２１を点灯させ、売切れランプ２２を消灯させる。売切れである場合には残数を全て払い出したかを判定し（ＳＴＥＰ５）、払い出した場合にはＮ番コラム１１に対応する選択部５に内蔵された販売可能ランプ２１を消灯させ、売切れランプ２２を点灯させ、払い出していない場合にはＮ番コラム１１に対応する選択部５に内蔵された販売可能ランプ２１を点灯させ、売切れランプ２２を消灯させる。
【００３０】
災害が発生していない場合には、販売時間帯以外などによる販売不可状態であるかどうかを判定し（ＳＴＥＰ６）、販売時間帯以外などによる販売不可状態である場合には、番コラム１１に対応する選択部５に内蔵された販売可能ランプ２１を消灯させ、売切れランプ２２を消灯させる。販売時間帯以外などによる販売不可状態でない場合には、売切れ検知手段２３によりＮ番コラム１１が売切れかを判定し（ＳＴＥＰ７）、売切れでない場合にはＮ番コラム１１に対応する選択部５に内蔵された販売可能ランプ２１を消灯させ、売切れランプ２２を消灯させる。売切れである場合には完売設定記憶手段２５にて記憶しているＮ番コラム１１の完売設定が完売設定されているかを判定し（ＳＴＥＰ８）、完売設定されていない場合にはＮ番コラム１１に対応する選択部５に内蔵された販売可能ランプ２１を消灯させ、売切れランプ２２を点灯させる。
【００３１】
完売設定されている場合には残数を全て払い出したかを判定し（ＳＴＥＰ９）、払い出した場合にはＮ番コラム１１に対応する選択部５に内蔵された販売可能ランプ２１を消灯させ、売切れランプ２２を点灯させ、払い出していない場合にはＮ番コラム１１に対応する選択部５に内蔵された販売可能ランプ２１を消灯させ、売切れランプ２２を消灯させる。
【００３２】
以上のように本実施の形態２の自動販売機によれば、災害検知手段２６により、災害時と検知した場合には、災害時に不必要な販売不可機能を無視し、コラム１１に商品がある限り、販売可能ランプ２１を点灯させ、販売可能とさせることにより、災害発生などの緊急時に全ての商品を無償で提供することができる。
【００３３】
（実施の形態３）
図７は、本発明の実施の形態３における自動販売機の機能ブロック図である。図８は、同実施の形態における自動販売機の動作を示すフローチャートである。
【００３４】
図７において、搬出手段１２は選択された商品をコラム１１から払い出す。販売可能ランプ２１は選択された商品が販売可能であるかを表示し、選択部５に内蔵されている。売切れランプ２２は選択された商品が売切れであるかを表示し、選択部５に内蔵されている。売切れ検知手段２３は搬出手段１２により搬出された各コラム１１の売切れ状態を検知し、コラム１１に設けられている。完売設定手段２４は売切れ検知手段２３により売切れと検知した場合に、売切れランプ２２を点灯させ、販売不可にするか、売切れ検知手段２３により売切れと検知しても、売切れランプ２２を点灯せず、残った商品を販売可能とするかをコラム１１毎に設定する。
【００３５】
完売設定記憶手段２５は完売設定手段２４により設定された各コラム１１の完売設定を記憶する。災害検知手段２６は災害時であることを検知する。商品保存日数経過検知手段２７は賞味期限日を経過しているかどうかで判断し、経過していれば商品が保存日数を経過したと判断し検知する。演算制御部３０ｃは災害検知手段２６により、災害時と検知し、売切れ検知手段２３により商品があると検知した場合でも、商品保存日数経過検知手段２７により商品が保存日数を経過していると検知した場合には、販売可能ランプ２１を消灯させ、売切れランプ２２を点灯させる。
【００３６】
図８において、以上のように構成された自動販売機について、以下その動作を説明する。
【００３７】
演算制御部３０ｃは完売設定手段２４によりコラム１１毎に完売設定を行うかを設定し（ＳＴＥＰ１）、完売設定記憶手段２５に完売設定手段２４により設定された完売設定を記憶させる（ＳＴＥＰ２）。演算制御部３０ｃは災害検知手段２６により災害が発生したかを判定し（ＳＴＥＰ３）、災害が発生している場合には商品保存日数経過検知手段２７によりＮ番コラム１１の商品が保存日数を経過しているかを判定し（ＳＴＥＰ４）、Ｎ番コラム１１の商品が保存日数を経過している場合には販売可能ランプ２１を点灯し、売切れランプ２２を点灯させる。
【００３８】
Ｎ番コラム１１の商品が保存日数を経過していない場合には売切れ検知手段２３によりＮ番コラム１１が売切れかを判定し（ＳＴＥＰ５）、売切れでない場合にはＮ番コラム１１に対応する選択部５に内蔵された販売可能ランプ２１を点灯させ、売切れランプ２２を消灯させる。売切れである場合には残数を全て払い出したかを判定し（ＳＴＥＰ６）、払い出した場合にはＮ番コラム１１に対応する選択部５に内蔵された販売可能ランプ２１を消灯させ、売切れランプ２２を点灯させ、払い出していない場合にはＮ番コラム１１に対応する選択部５に内蔵された販売可能ランプ２１を点灯させ、売切れランプ２２を消灯させる。
【００３９】
災害が発生していない場合には、販売時間帯以外などによる販売不可状態であるかどうかを判定し（ＳＴＥＰ７）、販売時間帯以外などによる販売不可状態である場合には、番コラム１１に対応する選択部５に内蔵された販売可能ランプ２１を消灯させ、売切れランプ２２を消灯させる。販売時間帯以外などによる販売不可状態でない場合には、商品保存日数経過検知手段２７によりＮ番コラム１１の商品が保存日数を経過しているかを判定し（ＳＴＥＰ８）、Ｎ番コラム１１の商品が保存日数を経過している場合には販売可能ランプ２１を点灯し、売切れランプ２２を点灯させる。Ｎ番コラム１１の商品が保存日数を経過していない場合には売切れ検知手段２３によりＮ番コラム１１が売切れかを判定し（ＳＴＥＰ９）、売切れでない場合にはＮ番コラム１１に対応する選択部５に内蔵された販売可能ランプ２１を消灯させ、売切れランプ２２を消灯させる。
【００４０】
売切れである場合には完売設定記憶手段２５にて記憶しているＮ番コラム１１の完売設定が完売設定されているかを判定し（ＳＴＥＰ１０）、完売設定されていない場合にはＮ番コラム１１に対応する選択部５に内蔵された販売可能ランプ２１を消灯させ、売切れランプ２２を点灯させる。完売設定されている場合には残数を全て払い出したかを判定し（ＳＴＥＰ１１）、払い出した場合にはＮ番コラム１１に対応する選択部５に内蔵された販売可能ランプ２１を消灯させ、売切れランプ２２を点灯させ、払い出していない場合にはＮ番コラム１１に対応する選択部５に内蔵された販売可能ランプ２１を消灯させ、売切れランプ２２を消灯させる。
【００４１】
以上のように本実施の形態３の自動販売機によれば、災害検知手段２６により、災害時と検知し、商品が販売可能であっても、商品保存日数経過検知手段２７により商品が保存日数を経過していると検知した場合には、販売可能ランプ２１を消灯させ、売切れランプ２２を点灯させ、販売不可とすることにより、災害時の場合においても、保存日数を経過した商品を販売しないようにすることができる。
【００４２】
（実施の形態４）
図９は、本発明の実施の形態４における自動販売機の機能ブロック図である。図１０は、同実施の形態における自動販売機の動作を示すフローチャートである。
【００４３】
図９において、搬出手段１２は選択された商品をコラム１１から払い出す。販売可能ランプ２１は選択された商品が販売可能であるかを表示し、選択部５に内蔵されている。売切れランプ２２は選択された商品が売切れであるかを表示し、選択部５に内蔵されている。売切れ検知手段２３は搬出手段１２により搬出された各コラム１１の売切れ状態を検知し、コラム１１に設けられている。完売設定手段２４は売切れ検知手段２３により売切れと検知した場合に、売切れランプ２２を点灯させ、販売不可にするか、売切れ検知手段２３により売切れと検知しても、売切れランプ２２を点灯せず、残った商品を販売可能とするかをコラム１１毎に設定する。
【００４４】
完売設定記憶手段２５は完売設定手段２４により設定された各コラム１１の完売設定を記憶する。災害検知手段２６は災害時であることを検知する。商品保存日数経過検知手段２７は商品が保存日数を経過したことを検知する。商品販売可否判断手段２８は商品保存日数経過検知手段２７により商品の保存日数を経過を検知した場合において、保存日数を経過した商品の販売可否を設定する。演算制御部３０ｄは災害検知手段２６により、災害時と検知し、売切れ検知手段２３により商品があると検知し、商品保存日数経過検知手段２７により商品が保存日数を経過していると検知した場合でも、商品販売可否判断手段２８より、その商品に表示されている賞味期限日と比較して、保存日数を経過していても賞味期限を経過していなければ、販売可能と判断し、販売可能ランプ２１を点灯させ、販売可能とする。
【００４５】
図１０において、以上のように構成された自動販売機について、以下その動作を説明する。
【００４６】
演算制御部３０ｄは完売設定手段２４によりコラム１１毎に完売設定を行うかを設定し（ＳＴＥＰ１）、完売設定記憶手段２５に完売設定手段２４により設定された完売設定を記憶させる（ＳＴＥＰ２）。演算制御部３０ｄは災害検知手段２６により災害が発生したかを判定し（ＳＴＥＰ３）、災害が発生している場合には商品保存日数経過検知手段２７によりＮ番コラム１１の商品が保存日数を経過しているかを判定し（ＳＴＥＰ４）、Ｎ番コラム１１の商品が保存日数を経過している場合には商品販売可否判断手段２８により販売の可否を判定し（ＳＴＥＰ５）、販売不可の場合には販売可能ランプ２１を消灯し、売切れランプ２２を点灯させる。
【００４７】
Ｎ番コラム１１の商品が保存日数を経過していない場合、商品販売可否判断手段２８により販売可能と設定されている場合には売切れ検知手段２３によりＮ番コラム１１が売切れかを判定し（ＳＴＥＰ６）、売切れでない場合にはＮ番コラム１１に対応する選択部５に内蔵された販売可能ランプ２１を点灯させ、売切れランプ２２を消灯させる。売切れである場合には残数を全て払い出したかを判定し（ＳＴＥＰ７）、払い出した場合にはＮ番コラム１１に対応する選択部５に内蔵された販売可能ランプ２１を消灯させ、売切れランプ２２を点灯させ、払い出していない場合にはＮ番コラム１１に対応する選択部５に内蔵された販売可能ランプ２１を点灯させ、売切れランプ２２を消灯させる。
【００４８】
災害が発生していない場合には、販売時間帯以外などによる販売不可状態であるかどうかを判定し（ＳＴＥＰ８）、販売時間帯以外などによる販売不可状態である場合には、番コラム１１に対応する選択部５に内蔵された販売可能ランプ２１を消灯させ、売切れランプ２２を消灯させる。販売時間帯以外などによる販売不可状態でない場合には、商品保存日数経過検知手段２７によりＮ番コラム１１の商品が保存日数を経過しているかを判定し（ＳＴＥＰ９）、Ｎ番コラム１１の商品が保存日数を経過している場合には販売可能ランプ２１を点灯し、売切れランプ２２を点灯させる。
【００４９】
Ｎ番コラム１１の商品が保存日数を経過していない場合には売切れ検知手段２３によりＮ番コラム１１が売切れかを判定し（ＳＴＥＰ１０）、売切れでない場合にはＮ番コラム１１に対応する選択部５に内蔵された販売可能ランプ２１を消灯させ、売切れランプ２２を消灯させる。
【００５０】
売切れである場合には完売設定記憶手段２５にて記憶しているＮ番コラム１１の完売設定が完売設定されているかを判定し（ＳＴＥＰ１１）、完売設定されていない場合にはＮ番コラム１１に対応する選択部５に内蔵された販売可能ランプ２１を消灯させ、売切れランプ２２を点灯させる。完売設定されている場合には残数を全て払い出したかを判定し（ＳＴＥＰ１２）、払い出した場合にはＮ番コラム１１に対応する選択部５に内蔵された販売可能ランプ２１を消灯させ、売切れランプ２２を点灯させ、払い出していない場合にはＮ番コラム１１に対応する選択部５に内蔵された販売可能ランプ２１を消灯させ、売切れランプ２２を消灯させる。
【００５１】
以上のように本実施の形態４の自動販売機によれば、商品保存日数経過検知手段２７により商品の保存日数を経過を検知した場合において、保存日数を経過した商品の販売可否を設定する商品販売可否判断手段２８を備え、災害検知手段２６により、災害時と検知し、売切れ検知手段２３により商品があると検知し、商品保存日数経過検知手段２７により商品が保存日数を経過していると検知した場合でも、商品販売可否判断手段２８により、販売可能と設定されている場合には、前記販売可能ランプを点灯させ、販売可能とさせることにより、オペレーターが保存日数を経過した商品を販売しても害がないことを判断し、保存日数を経過した商品を無償で提供することができる。
【００５２】
（実施の形態５）
図１１は、本発明の実施の形態５における自動販売機の機能ブロック図である。図１２は、同実施の形態における自動販売機の動作を示すフローチャートである。
【００５３】
図１１において、搬出手段１２は選択された商品をコラム１１から払い出す。販売可能ランプ２１は選択された商品が販売可能であるかを表示し、選択部５に内蔵されている。売切れランプ２２は選択された商品が売切れであるかを表示し、選択部５に内蔵されている。売切れ検知手段２３は搬出手段１２により搬出された各コラム１１の売切れ状態を検知し、コラム１１に設けられている。
【００５４】
完売設定手段２４は売切れ検知手段２３により売切れと検知した場合に、売切れランプ２２を点灯させ、販売不可にするか、売切れ検知手段２３により売切れと検知しても、売切れランプ２２を点灯せず、残った商品を販売可能とするかをコラム１１毎に設定する。完売設定記憶手段２５は完売設定手段２４により設定された各コラム１１の完売設定を記憶する。災害検知手段２６は災害時であることを検知する。
【００５５】
商品保存日数経過検知手段２７は商品が保存日数を経過したことを検知する。商品販売可否判断手段２８は商品保存日数経過検知手段２７により商品の保存日数を経過を検知した場合において、保存日数を経過した商品の販売可否を設定する。通知手段２９は表示または音声にて保存日数を経過した商品を販売したことを通知する。演算制御部３０ｅは商品保存日数経過検知手段２７により、商品が保存日数を経過したことを検知し、保存日数を経過した商品を搬出手段１２により搬出した場合に、表示または音声にて通知する。
【００５６】
図１２において、以上のように構成された自動販売機について、以下その動作を説明する。
【００５７】
演算制御部３０ｅはＮ番コラム１１の商品を搬出する際、搬出手段１２によりＮ番コラム１１の商品を搬出させ（ＳＴＥＰ１）、商品保存日数経過検知手段２７によりＮ番コラム１１の商品が保存日数を経過しているかを判定し（ＳＴＥＰ２）、保存日数を経過している場合には通知手段２９により販売したＮ番コラム１１の商品が保存日数を経過していることを表示または音声にて通知させる。
【００５８】
以上のように本実施の形態５の自動販売機によれば、商品販売可否判断手段２８により販売すると設定され、保存日数を経過した商品を販売した場合に、通知手段２９により、保存日数を経過した商品を販売したことを表示または音声にて案内することにより、購入者に保存日数を経過した商品を販売したことを知らせることができる。
【産業上の利用可能性】
【００５９】
以上のように、本発明にかかる自動販売機は、災害発生などの緊急時には緊急時に不必要な販売不可機能を無視し、完売設定されていなくても、完売設定させることで、コラムに残った商品を全ての商品を払い出すことができる自動販売機を提供する。
【図面の簡単な説明】
【００６０】
【図１】本発明の実施の形態１における自動販売機の外観を示した斜視図
【図２】同実施の形態における自動販売機の内側の外観を示した斜視図
【図３】同実施の形態における自動販売機の機能ブロック図
【図４】同実施の形態における自動販売機の動作を示すフローチャート
【図５】本発明の実施の形態２における自動販売機の機能ブロック図
【図６】同実施の形態における自動販売機の動作を示すフローチャート
【図７】本発明の実施の形態３における自動販売機の機能ブロック図
【図８】同実施の形態における自動販売機の動作を示すフローチャート
【図９】本発明の実施の形態４における自動販売機の機能ブロック図
【図１０】同実施の形態における自動販売機の動作を示すフローチャート
【図１１】本発明の実施の形態５における自動販売機の機能ブロック図
【図１２】同実施の形態における自動販売機の動作を示すフローチャート
【符号の説明】
【００６１】
１    自動販売機
２    本体部
３    メイン扉部
４    サンプル缶
５    選択部
６    硬貨投入口
７    硬貨返却スイッチ
８    硬貨返却口
９    取り出し部
１０  取り出し口扉
１１  コラム
１２  搬出手段
１３  庫内仕切板
１４  サブ扉
１５  シュート
１６  商品通過口
２１  販売可能ランプ
２２  売切れランプ
２３  売切れ検知手段
２４  完売設定手段
２５  完売設定記憶手段
２６  災害検知手段
２７  商品保存日数経過検知手段
２８  商品販売可否判断手段
２９  通知手段
３０ａ，３０ｂ，３０ｃ，３０ｄ，３０ｅ  演算制御部
【図１】
2008112320.tif 000003
【図２】
2008112320.tif 000004
【図３】
2008112320.tif 000005
【図４】
2008112320.tif 000006
【図５】
2008112320.tif 000007
【図６】
2008112320.tif 000008
【図７】
2008112320.tif 000009
【図８】
2008112320.tif 000010
【図９】
2008112320.tif 000011
【図１０】
2008112320.tif 000012
【図１１】
2008112320.tif 000013
【図１２】
2008112320.tif 000014